(57)【特許請求の範囲】
【請求項１】
磁気データを書き換え可能に高保持記憶する第１の磁性体とMnBiを含み一度磁界が付与されると書き換えが困難な第２の磁性体とを含む磁気層を有する磁気カードを発行するとき、磁気カードの第１の領域の第１の磁性体と第２の磁性体とを情報消去状態とするための直流磁界を印加し、磁気カードの第１の領域とは異なる第２の領域の第１の磁性体と第２の磁性体とに発行時に記録し書き換えない基本発行情報を記録する第１の磁気ヘッドと、
この第１の磁気ヘッドで記録する前記基本発行情報を記憶するメモリと、
前記第１の磁気ヘッドにより処理された磁気カードの前記第１の領域に対してフォーマットデータを記録するとともに、前記第２の領域の第１の磁性体を情報消去状態とするために直流磁界を印加する第２の磁気ヘッドと、
前記第１の磁気ヘッドおよび前記第２の磁気ヘッドで処理された磁気カードの第１の領域および第２の領域に記録されている磁気情報を読み取る第３の磁気ヘッドと、
この第３の磁気ヘッドによる読取結果に基づいて、前記第１の領域にフォーマットデータが正しく記録されているか否かを確認し、かつ第２の領域から読み取った内容と前記メモリに記録されている基本発行情報とが一致するか否かを確認し磁気カードの正当性を確認する第１の制御部と、
この第１の制御部の確認の結果、磁気カードの正当性を確認できたときに磁気カードを発行する発行部とを備える磁気カード発行機と、
この磁気カード発行機により発行された磁気カードの第１の領域に記録されている磁気情報を読み取り、読み取った内容に基づいた新たな使用実績を算出して第１の領域に記録し、記録した内容を読み取る第１の磁気処理と、
前記磁気カード発行機により発行された磁気カードの第２の領域における磁気情報を消去状態とするために直流磁界を印加し、印加後の第２の領域から磁気情報を読み取る第２の磁気処理と、
前記第１の磁気処理により磁気カードの第１の領域から読み取った磁気情報、および前記第２の磁気処理により磁気カードの第２の領域から読み取った磁気情報とから磁気カードの正当性を判断する第２の制御部とを備える磁気カード処理機とから構成されることを特徴とする磁気カード処理システム。
【請求項２】
磁気データを書き換え可能に高保持記憶する第１の磁性体とMnBiを含み一度磁界が付与されると書き換えが困難な第２の磁性体とを含む磁気層を有する磁気カードを発行するとき、第１の磁気ヘッドにより、磁気カードの第１の領域の第１の磁性体と第２の磁性体とを情報消去状態とするための直流磁界を印加し、磁気カードの第１の領域とは異なる第２の領域の第１の磁性体と第２の磁性体とに発行時に記録し書き換えない基本発行情報を記録し、
前記第１の磁気ヘッドで記録する前記基本発行情報をメモリに記憶し、
前記第１の磁気ヘッドにより処理された磁気カードの前記第１の領域に対して第２の磁気ヘッドによりフォーマットデータを記録するとともに、前記第２の領域の第１の磁性体を情報消去状態とするために直流磁界を印加し、
前記第１の磁気ヘッドおよび前記第２の磁気ヘッドで処理された磁気カードの第１の領域および第２の領域に記録されている磁気情報を第３の磁気ヘッドにより読み取り、
この第３の磁気ヘッドによる読取結果に基づいて、前記第１の領域にフォーマットデータが正しく記録されているか否かを確認し、かつ第２の領域から読み取った内容と前記メモリに記録されている基本発行情報とが一致するか否かを確認し磁気カードの正当性を確認し、
この確認の結果、磁気カードの正当性を確認できたときに磁気カード発行機により磁気カードを発行し、
前記磁気カード発行機により発行された磁気カードの第１の領域に記録されている磁気情報を読み取り、読み取った内容に基づいた新たな使用実績を算出して第１の領域に記録し、この記録した内容を読み取り、
前記磁気カード発行機により発行された磁気カードの第２の領域における磁気情報を消去状態とするために直流磁界を印加し、印加後の第２の領域から磁気情報を読み取り、
前記磁気カードの第１の領域から読み取った磁気情報、および前記磁気カードの第２の領域から読み取った磁気情報とから磁気カードの正当性を判断する
ことを特徴とする磁気カード処理方法。
【発明の詳細な説明】
【０００１】
【発明の属する技術分野】
この発明は、磁気カードを処理する磁気カード処理システムと磁気カード処理方法に関する。
【０００２】
【従来の技術】
駅務用途、流通用途等に用いられる磁気カードの磁気情報を処理する磁気カード処理機において、容易に安定に処理可能であるニーズが高い反面、記録情報を容易に第三者が読取り、解読、改竄できない方式が望まれている。
【０００３】
従来から、記録磁性層を異なる性格の磁気特性を有する材料で多層化する方法が考案されているが磁性体の性格を大幅に変えていないため、充分な保護能力を有していなかった。
【０００４】
これまで考案されていたものは、例えば、高保持力材料と低保持力材料の２層構成でカードに塗布し、高保持層（３０００Ｏｅ：エルステッド）と低保持層（３００Ｏｅ）に異なる情報を記録するものであるが、高保持記録磁性体と低保持記録磁性体に独立した情報を安定に記録を行うにはこの保持力の差は現状では少なく、相互に干渉が生じたり、本質的に書き換えが可能である欠点を有している。すなわち、磁気カードが偽造、改竄される可能性があった。
【０００５】
【発明が解決しようとする課題】
上記したように、磁気カードが偽造、改竄される可能性があるという欠点を除去するもので、磁気カードの偽造、改竄を防止することができる磁気カード処理システムと磁気カード処理方法を提供することを目的とする。
【０００６】
【課題を解決するための手段】
この発明の磁気カード処理システムは、磁気データを書き換え可能に高保持記憶する第１の磁性体とMnBiを含み一度磁界が付与されると書き換えが困難な第２の磁性体とを含む磁気層を有する磁気カードを発行するとき、磁気カードの第１の領域の第１の磁性体と第２の磁性体とを情報消去状態とするための直流磁界を印加し、磁気カードの第１の領域とは異なる第２の領域の第１の磁性体と第２の磁性体とに発行時に記録し書き換えない基本発行情報を記録する第１の磁気ヘッドと、この第１の磁気ヘッドで記録する前記基本発行情報を記憶するメモリと、前記第１の磁気ヘッドにより処理された磁気カードの前記第１の領域に対してフォーマットデータを記録するとともに、前記第２の領域の第１の磁性体を情報消去状態とするために直流磁界を印加する第２の磁気ヘッドと、前記第１の磁気ヘッドおよび前記第２の磁気ヘッドで処理された磁気カードの第１の領域および第２の領域に記録されている磁気情報を読み取る第３の磁気ヘッドと、この第３の磁気ヘッドによる読取結果に基づいて、前記第１の領域にフォーマットデータが正しく記録されているか否かを確認し、かつ第２の領域から読み取った内容と前記メモリに記録されている基本発行情報とが一致するか否かを確認し磁気カードの正当性を確認する第１の制御部と、この第１の制御部の確認の結果、磁気カードの正当性を確認できたときに磁気カードを発行する発行部とを備える磁気カード発行機と、この磁気カード発行機により発行された磁気カードの第１の領域に記録されている磁気情報を読み取り、読み取った内容に基づいた新たな使用実績を算出して第１の領域に記録し、記録した内容を読み取る第１の磁気処理と、前記磁気カード発行機により発行された磁気カードの第２の領域における磁気情報を消去状態とするために直流磁界を印加し、印加後の第２の領域から磁気情報を読み取る第２の磁気処理と、前記第１の磁気処理により磁気カードの第１の領域から読み取った磁気情報、および前記第２の磁気処理により磁気カードの第２の領域から読み取った磁気情報とから磁気カードの正当性を判断する第２の制御部とから構成される。
【００１７】
【発明の実施の形態】
以下、この発明の一実施例について図面を参照して説明する。
図１、図２は、交通、流通等で用いられる定期券、チケット、プリペイドカード等の磁性体を塗布した磁気カードを示すものである。ここでは、金額等の対価機能を有する磁気カードとしてのプリペイドカードを例にして記述する。
【００１８】
すなわち、磁気カード１は、図１に示すように、基層２の上に高保持記録磁性体と他の磁性体とを混合した磁気層３が設けられている。基層２は、ＰＥＴ（ポリエチレンテレフタレート）あるいは紙によって構成されている。
【００１９】
磁気層３は、バリウムフェライトで構成される高保持記録磁性体と、最初は特殊な処理にて保持力が低く設定されているが、一度、磁界に暴露されると、著しく保持力が高くなる特性(従来の磁気ヘッドによる記録が困難である)を有するS磁性体｛たとえば、MnBi(マンガンビスマス)磁性粉のような、初期状態と磁界暴露後とで、保持力が大幅に変わるもの｝を混合して基層2に塗布したものである。
【００２０】
磁気カード１の磁気層３は、図２に示すように、ワンタイム記録トラック（発行情報トラック）４とリード／ライトトラック（使用実績トラック）５の２つのトラックを有している。
【００２１】
ワンタイム記録トラック（発行情報トラック）４は、発行時、つまり初期状態で、発行情報とを記録することにより、Ｓ磁性体４ａは著しく高い保持力で記録内容を記録し、高保持記録磁性体４ｂは記録内容を高保持記録するトラックであり、読取りにおいても両方の磁性体４ａ、４ｂに記録された記録磁束を読むことが可能となる。
【００２２】
ワンタイム記録トラック４は、一度磁界が暴露されることにより、Ｓ磁性体４ａが著しく高い保持力に変化し、Ｓ磁性体４ａに対する再度の記録を行うことができず、磁気カード１の基本発行情報などの発行時にしか記録しない情報（発行時にー度記録されると、書き換えが生じない情報）を記録し、かつ暗号キー等の保護情報も記録するものである。これにより、このワンタイム記録トラック４には、再書込ができないため、改竄等が困難な記録が可能となる。
【００２３】
基本発行情報としては、発行における金額・発行機関・適用システムの範囲を表す情報、カードのΙＤとして発行番号となっている。
リード／ライトトラック（使用実績トラック）５は、発行時、つまり初期状態で、まず、直流磁界による消去（磁界の印加）がなされることにより、Ｓ磁性体５ａは著しく高い保持力となり磁気の書換えができなくなり無効化され、高保持記録磁性体５ｂは高保持記録情報が消去され、情報記録はなされない。これに更に高保持記録を行えば、Ｓ磁性体５ａは著しく高い保持力に変化しているため記録に寄与しないが、高保持記録磁性体５ｂは従来通り記録、読取り、書き換えが可能となる。
【００２４】
リード／ライトトラック（使用実績トラック）５は、従来の使用毎（対価等の取引）の実績記録、残額記録（課金情報）等の逐次情報の記録領域として用いる。すなわち、使用毎に発生する情報として、使用金額、購入物件情報を示すコード、処理の日付時間、処理した場所、残額等の使用実績記録と残額情報が記録される。このトラックは、使用の度に記録、読取りを繰り返すため、書き換えが必須なトラックである。
【００２５】
このように、同一の磁性体構造をした磁気カード１を最初の処理により、異なった性質の用途に切り替え、かつ、これにより改竄防止が行えるようになっている。
【００２６】
図３は、磁気カード発行機の要部の構成を示す断面図である。
すなわち、本体１１内の図示左側には、発行前の複数枚の磁気カード１が収納されているスタッカ１２が設けられている。このスタッカ１２の磁気カード１は取出ローラ１３により１枚ずつ取出され、搬送路１４により搬送されるようになっている。この搬送路１４には、磁気カード１を搬送する搬送ローラ１５、…が設けられている。また、搬送路１４には、取出ローラ１３により取出された磁気カード１に情報を記録したり直流磁界により消去する書込ヘッド１６、１７、および磁気カード１に記録されている情報を読取る読取ヘッド１８が順次設けられている。読取ヘッド１８により読取られた磁気カード１は、搬送路１４の終端部に設けられた発行口１９から発行されるようになっている。
【００２７】
磁気カード１は、図３に示す搬送方向ｘに、搬送路１４上を搬送されるようになっている。
書込ヘッド１６、１７は、それぞれワンタイム記録トラック４とリード／ライトトラック５に対して別々に記録用あるいは消去用の磁界が印加できるものである。
【００２８】
読取ヘッド１８は、ワンタイム記録トラック４とリード／ライトトラック５に対して別々に読取りが行えるものである。
図４は、磁気カード発行機の制御回路の構成を示すブロック図である。
【００２９】
すなわち、制御部２１は、磁気カード発行機の全体を制御するものである。この制御部２１には、発行内容等を入力する操作パネル２２、取出ローラ１３や搬送ローラ１５、…による搬送機構２３を駆動するドライバ２４、書込ヘッド１６を駆動するドライバ２５、書込ヘッド１７を駆動するドライバ２６、および読取ヘッド１８による読取り内容を判断する読取回路２７が接続されている。
【００３０】
次に、磁気カード１の発行処理（１）について、図５に示すフローチャートを参照しつつ説明する。
すなわち、操作パネル２２によりカードの発行条件としての、発行における金額・発行機関・適用システムの範囲や発行番号を指定し、図示しないスタートキーを投入する（ＳＴ１）。
【００３１】
すると、制御部２１は、ドライバ２４により搬送機構２３を駆動することにより、取出ローラ１３および搬送ローラ１５、…を回転する。これにより、スタッカ１２に収納されている磁気カード１が取出ローラ１３により取出され、搬送路１４により搬送される（ＳＴ２）。
【００３２】
ついで、制御部２１は、操作パネル２２により指定されたカードの発行条件に対応する基本発行情報としての発行における金額・発行機関・適用システムの範囲を表す情報、カードのΙＤとして発行番号のエンコード情報と直流消去信号をドライバ２５を介して書込ヘッド１６に供給する（ＳＴ３）。
【００３３】
これにより、書込ヘッド１６によりワンタイム記録トラック４のＳ磁性体４ａと高保持記録磁性体４ｂとに基本発行情報としての発行における金額・発行機関・適用システムの範囲を表す情報、カードのΙＤとして発行番号が記録され、リード／ライトトラック５に直流消去磁界が印加され、消去される（ＳＴ４）。
【００３４】
この結果、ワンタイム記録トラック４のＳ磁性体４ａに、著しく高い保持力で基本発行情報が記録され、リード／ライトトラック５のＳ磁性体５ａが著しく高い保持力の消去状態となる。
【００３５】
この際、制御部２１は、上記基本発行情報を内部メモリ（図示しない）に記憶している。
ついで、制御部２１は、直流消去信号と初期値の情報としてのフォーマットデータのエンコード情報とをドライバ２６を介して書込ヘッド１７に供給する（ＳＴ５）。
【００３６】
これにより、書込ヘッド１７によりワンタイム記録トラック４に直流消去磁界が印加され、高保持記録磁性体４ｂに記録されている基本発行情報が消去され、リード／ライトトラック５に初期値の情報たとえばフォーマットデータが記録される（ＳＴ６）。
【００３７】
この結果、ワンタイム記録トラック４のＳ磁性体４ａには、著しく高い保持力で基本発行情報が記録され、高保持記録磁性体４ｂは消去され、リード／ライトトラック５のＳ磁性体５ａは著しく高い保持力の消去状態にあり、高保持記録磁性体５ｂにはフォーマットデータが記録される。
【００３８】
さらに、読取ヘッド１８によりワンタイム記録トラック４とリード／ライトトラック５の読取りが行われ、この読取り内容が読取回路２７を介して制御部２１に供給される（ＳＴ７）。
【００３９】
これにより、制御部２１は、ワンタイム記録トラック４からの読取内容と上記内部メモリに記憶されている記録を行った基本発行情報とが一致するかを比較し、リード／ライトトラック５からの読取内容によりフォーマットデータが正しく記録されているかにより、磁気カード１の正当性を確認する（ＳＴ８）。
【００４０】
この結果、磁気カード１の正当性が確認された場合、制御部２１は、正しいカードの発行を操作パネル２２により案内するとともに、その磁気カード１を発行口１９より発行する（ＳＴ９）。
【００４１】
また、ステップ８で磁気カード１の正当性が確認されなかった場合、制御部２１は、カードの発行異常を操作パネル２２により案内するとともに、その磁気カード１を発行口１９より排出する（ＳＴ１０）。
【００４２】
また、この発行異常となった磁気カード１は、回収庫（図示しない）に回収されるようにしても良い。
この発行処理（１）の場合、ワンタイム記録トラック４（のＳ磁性体４ａ）に記録されている情報の読取り出力とリード／ライトトラック５（の高保持記録磁性体５ｂ）に記録されている情報の読取り出力が同じレベルとなる。
【００４３】
この際、各トラックの高保持記録磁性体とＳ磁性体の出力を同じ条件となるような成分比で磁気層３が塗布されている。
次に、磁気カード１の発行処理（２）について、図６に示すフローチャートを参照しつつ説明する。
【００４４】
すなわち、操作パネル２２によりカードの発行条件としての、発行における金額・発行機関・適用システムの範囲や発行番号を指定し、図示しないスタートキーを投入する（ＳＴ１１）。
【００４５】
すると、制御部２１は、ドライバ２４により搬送機構２３を駆動することにより、取出ローラ１３および搬送ローラ１５、…を回転する。これにより、スタッカ１２に収納されている磁気カード１が取出ローラ１３により取出され、搬送路１４により搬送される（ＳＴ１２）。
【００４６】
ついで、制御部２１は、操作パネル２２により指定されたカードの発行条件に対応する基本発行情報としての発行における金額・発行機関・適用システムの範囲を表す情報、カードのΙＤとして発行番号のエンコード情報と直流消去信号をドライバ２５を介して書込ヘッド１６に供給する（ＳＴ１３）。
【００４７】
これにより、書込ヘッド１６によりワンタイム記録トラック４のＳ磁性体４ａと高保持記録磁性体４ｂとに基本発行情報としての発行における金額・発行機関・適用システムの範囲を表す情報、カードのΙＤとして発行番号が記録され、リード／ライトトラック５に直流消去磁界が印加され、消去される（ＳＴ１４）。
【００４８】
この結果、ワンタイム記録トラック４のＳ磁性体４ａに、著しく高い保持力で基本発行情報が記録され、リード／ライトトラック５のＳ磁性体５ａが著しく高い保持力の消去状態となる。
【００４９】
ついで、制御部２１は、初期値の情報としてのフォーマットデータのエンコード情報とをドライバ２６を介して書込ヘッド１７に供給する（ＳＴ１５）。
これにより、書込ヘッド１７により、リード／ライトトラック５に初期値の情報たとえばフォーマットデータが記録される（ＳＴ１６）。
【００５０】
この結果、ワンタイム記録トラック４のＳ磁性体４ａには、著しく高い保持力で基本発行情報が記録され、高保持記録磁性体４ｂにも基本発行情報が記録され、リード／ライトトラック５のＳ磁性体５ａは著しく高い保持力の消去状態にあり、高保持記録磁性体５ｂにはフォーマットデータが記録される。
【００５１】
さらに、読取ヘッド１８によりワンタイム記録トラック４とリード／ライトトラック５の読取りが行われ、この読取り内容が読取回路２７を介して制御部２１に供給される（ＳＴ１７）。
【００５２】
これにより、制御部２１は、ワンタイム記録トラック４からの読取内容と記録を行った基本発行情報とが一致するかを比較し、リード／ライトトラック５からの読取内容によりフォーマットデータが正しく記録されているかにより、磁気カード１の正当性を確認する（ＳＴ１８）。
【００５３】
この結果、磁気カード１の正当性が確認された場合、制御部２１は、正しいカードの発行を操作パネル２２により案内するとともに、その磁気カード１を発行口１９より発行する（ＳＴ１９）。
【００５４】
また、ステップ１８で磁気カード１の正当性が確認されなかった場合、制御部２１は、カードの発行異常を操作パネル２２により案内するとともに、その磁気カード１を発行口１９より排出する（ＳＴ２０）。
【００５５】
この発行処理（２）の場合、ワンタイム記録トラック４（のＳ磁性体４ａと高保持記録磁性体５ｂ）に記録されている情報の読取り出力が、リード／ライトトラック５（の高保持記録磁性体５ｂ）に記録されている情報の読取り出力よりもＳ磁性体４ａの読取り出力分高くなっている。
【００５６】
すなわち、ワンタイム記録トラック４とリード／ライトトラック５に、出力レベル差を有したまま発行処理が完了される。
図７は、磁気カード処理機の要部の構成を示す断面図である。
【００５７】
すなわち、本体３１内の図示右側には、磁気カード１が挿入される挿入口３２が設けられている。この挿入口３２に挿入された磁気カード１は搬送ローラ３３、…により搬送路３４上を搬送されるようになっている。また、本体３１の内部に取り込まれた磁気カード１は搬送ローラ３３、…の逆回転により搬送路３４上を搬送され挿入口３２から排出されるようになっている。この搬送路３４には、磁気カード１の情報を読取る読取ヘッド３５と磁気カード１に情報を記録する書込ヘッド３６が設けられている。読取ヘッド３５は、挿入口３２により挿入された磁気カード１から情報を読取ったり、書込ヘッド３６により情報が記録された磁気カード１からその記録された情報を読取るものである。書込ヘッド３６は、搬送される磁気カード１に情報を記録したり、消去磁界を印加するものである。
【００５８】
磁気カード１は、図２に示す搬送方向で、搬送路３４上を搬送されるようになっている。
書込ヘッド３６は、ワンタイム記録トラック４とリード／ライトトラック５に対して別々に記録用あるいは消去用の磁界が印加できるものである。
【００５９】
読取ヘッド３５は、ワンタイム記録トラック４とリード／ライトトラック５に対して別々に読取りが行えるものである。
図８は、磁気カード処理機の制御回路の構成を示すブロック図である。
【００６０】
すなわち、制御部４１は、磁気カード処理機の全体を制御するものである。この制御部４１には、処理内容等を入力する操作パネル４２、搬送ローラ、３３…による搬送機構４３を駆動するドライバ４４、読取ヘッド３５による読取り内容を判断する読取回路４５、および書込ヘッド３６を駆動するドライバ４６が接続されている。
【００６１】
次に、発行処理（１）により発行された磁気カード１の使用処理について、図９に示すフローチャートを参照しつつ説明する。
すなわち、図示しない検知器により磁気カード１の挿入口３２からの挿入が検知された際（ＳＴ３１）、制御部４１は、ドライバ４４により搬送機構４３を駆動することにより、搬送ローラ３３、…を正方向に回転する。これにより、挿入口３２からの挿入された磁気カード１が搬送路３４により搬送される（ＳＴ３２）。
【００６２】
ついで、読取ヘッド３５により磁気カード１の読取りが行われる。すなわち、ワンタイム記録トラック４（のＳ磁性体４ａ）に記録されている基本発行情報としての発行における金額・発行機関・適用システムの範囲を表す情報、カードのΙＤとして発行番号の読取りとリード／ライトトラック５（の高保持記録磁性体５ｂ）に記録されている残額等の使用実績の読取りが行われ、この読取り内容が読取回路４５を介して制御部４１に供給される（ＳＴ３３）。
【００６３】
制御部４１は、読取った基本発行情報の正当性を判断し（ＳＴ３４）、正当と判断した場合、今回の処理に対する料金を残額から差し引いた新たな使用実績としての残額を算出する（ＳＴ３５）。この際、今回の処理に対する料金は、たとえば、操作パネル４２により指定される。
【００６４】
ついで、制御部４１は、直流消去信号と新たな使用実績としての残額のエンコード情報をドライバ４６を介して書込ヘッド３６に供給する（ＳＴ３６）。
これにより、書込ヘッド３６によりワンタイム記録トラック４に直流消去磁界が印加され、リード／ライトトラック５に新たな使用実績としての残額が記録される（ＳＴ３７）。
【００６５】
この後、制御部４１は、ドライバ４４により搬送機構４３を駆動することにより、搬送ローラ３３、…を逆方向に回転する。これにより、書込ヘッド３６により書込みがなされた磁気カード１が搬送路３４により挿入口３２側に搬送される（ＳＴ３８）。
【００６６】
ついで、読取ヘッド３５によりワンタイム記録トラック４とリード／ライトトラック５の読取りが行われ、この読取り内容が読取回路４５を介して制御部４１に供給される（ＳＴ３９）。
【００６７】
これにより、制御部４１は、ワンタイム記録トラック４からの読取内容とステップ３３により読取った基本発行情報とを比較し、一致により、消去により変化無しと判断した場合（ＳＴ４０）、さらにリード／ライトトラック５の読取り内容が記録した新たな使用実績との一致により磁気カード１の正当性を判断し（ＳＴ４１）、正常処理を操作パネル４２により案内するとともに、その磁気カード１を挿入口３２より排出する（ＳＴ４２）。
【００６８】
また、ステップ３４により読取った基本発行情報の正当性が判断されなかった場合、ステップ４０で消去により変化有りと判断した場合、ステップ４２で磁気カード１の正当性が判断されなかった場合、制御部４１は、受入れた磁気カード１が異常券である旨を操作パネル２２により案内するとともに、その磁気カード１を挿入口３２より排出する（ＳＴ４３）。
【００６９】
上記したように、ワンタイム記録トラック４に直流消去磁界を印加することにより、ワンタイム記録トラック４に記録されている発行情報が消去されてしまうか消去されずにいるかにより、偽造か否かをチェックするようにしたものである。
【００７０】
次に、発行処理（２）により発行された磁気カード１の使用処理について、図１０に示すフローチャートを参照しつつ説明する。
すなわち、図示しない検知器により磁気カード１の挿入口３２からの挿入が検知された際（ＳＴ５１）、制御部４１は、ドライバ４４により搬送機構４３を駆動することにより、搬送ローラ３３、…を正方向に回転する。これにより、挿入口３２からの挿入された磁気カード１が搬送路３４により搬送される（ＳＴ５２）。
【００７１】
ついで、読取ヘッド３５により磁気カード１の読取りが行われる。すなわち、ワンタイム記録トラック４（のＳ磁性体４ａ、高保持記録磁性体４ｂ）に記録されている基本発行情報としての発行における金額・発行機関・適用システムの範囲を表す情報、カードのΙＤとして発行番号の読取りとリード／ライトトラック５（の高保持記録磁性体５ｂ）に記録されている残額等の使用実績の読取りが行われ、この読取り内容が読取回路４５を介して制御部４１に供給される（ＳＴ５３）。
【００７２】
制御部４１は、読取った基本発行情報の正当性を判断し（ＳＴ５４）、正当と判断した場合、ワンタイム記録トラック４からの読取レベルがリード／ライトトラック５（の高保持記録磁性体５ｂ）からの読取レベルよりもＳ磁性体４ａの分大きなものとなっているか否かを判断し（ＳＴ５５）、読取レベルがＳ磁性体４ａの分大きなものとなっていた場合、今回の処理に対する料金を残額から差し引いた新たな使用実績としての残額を算出する（ＳＴ５６）。この際、今回の処理に対する料金は、たとえば、操作パネル４２により指定される。
【００７３】
ついで、制御部４１は、直流消去信号と新たな使用実績としての残額のエンコード情報をドライバ４６を介して書込ヘッド３６に供給する（ＳＴ５７）。
これにより、書込ヘッド３６によりリード／ライトトラック５に新たな使用実績としての残額が記録される（ＳＴ５８）。
【００７４】
この後、制御部４１は、ドライバ４４により搬送機構４３を駆動することにより、搬送ローラ３３、…を逆方向に回転する。これにより、書込ヘッド３６により書込みがなされた磁気カード１が搬送路３４により挿入口３２側に搬送される（ＳＴ５９）。
【００７５】
ついで、読取ヘッド３５によりリード／ライトトラック５の読取りが行われ、この読取り内容が読取回路４５を介して制御部４１に供給される（ＳＴ６０）。これにより、制御部４１は、リード／ライトトラック５の読取り内容が記録した新たな使用実績との一致により磁気カード１の正当性を判断し（ＳＴ６１）、正常処理を操作パネル４２により案内するとともに、その磁気カード１を挿入口３２より排出する（ＳＴ６２）。
【００７６】
また、ステップ５４により読取った基本発行情報の正当性が判断されなかった場合、ステップ５５で読取レベルがＳ磁性体４ａの分大きなものとなっていなかった場合、ステップ６１で磁気カード１の正当性が判断されなかった場合、制御部４１は、受入れた磁気カード１が異常券である旨を操作パネル２２により案内するとともに、その磁気カード１を挿入口３２より排出する（ＳＴ６３）。
【００７７】
上記したように、ワンタイム記録トラック４の読取レベルがリード／ライトトラック５（の高保持記録磁性体５ｂ）からの読取レベルよりもＳ磁性体４ａの分大きなものとなっているか否かにより、偽造か否かをチェックするようにしたものである。また、この低下をチェックすることにより、偽造アタックがなされている可能性を知ることが可能となる。
【００７８】
また、ワンタイム記録トラック４の特徴を利用して、発行番号、暗号キー等とリンクして、重要なデータを関数式にてスクランブル処理し、これをリード／ライトトラック５にも記録することで、ワンタイム記録情報と書き換え記録情報との関係を作り、改竄防止を行うことができる。
【００７９】
また、前記実施例では、磁気カードにおいて、基層上の磁気カードの全面にわたって高保持記録磁性体とＳ磁性体とを混合して形成されている磁気層が塗布されている場合について説明したが、これに限らず、図１１に示すように、基層２上の磁気カード１の全面にわたって高保持記録磁性体５１とＳ磁性体５２とが２層構造で塗布されるように構成しても良い。
【００８０】
この場合、図５、図６に示す発行処理と、図９、図１０に示す使用処理とが同様に実施できる。
また、図１２に示すように、磁気カードにおいて、基層２上のワンタイム記録トラック４の部分のみに、Ｓ磁性体５３を塗布し、リード／ライトトラック５の部分のみに、高保持記録磁性体５４を塗布するようにしても良い。
【００８１】
この場合の磁気カード１の発行処理について、図４に示す磁気カード発行機の制御回路と、図１３に示すフローチャートを参照しつつ説明する。
すなわち、操作パネル２２によりカードの発行条件としての、発行における金額・発行機関・適用システムの範囲や発行番号を指定し、図示しないスタートキーを投入する（ＳＴ７１）。
【００８２】
すると、制御部２１は、ドライバ２４により搬送機構２３を駆動することにより、取出ローラ１３および搬送ローラ１５、…を回転する。これにより、スタッカ１２に収納されている磁気カード１が取出ローラ１３により取出され、搬送路１４により搬送される（ＳＴ７２）。
【００８３】
ついで、制御部２１は、操作パネル２２により指定されたカードの発行条件に対応する基本発行情報としての発行における金額・発行機関・適用システムの範囲を表す情報、カードのΙＤとして発行番号のエンコード情報をドライバ２５を介して書込ヘッド１６に供給する（ＳＴ７３）。
【００８４】
これにより、書込ヘッド１６によりワンタイム記録トラック４に基本発行情報としての発行における金額・発行機関・適用システムの範囲を表す情報、カードのΙＤとして発行番号が記録される（ＳＴ７４）。
【００８５】
この結果、ワンタイム記録トラック４に、著しく高い保持力で基本発行情報が記録される。
ついで、制御部２１は、初期値の情報としてのフォーマットデータのエンコード情報とをドライバ２６を介して書込ヘッド１７に供給する（ＳＴ７５）。
【００８６】
これにより、書込ヘッド１７により、リード／ライトトラック５に初期値の情報たとえばフォーマットデータが記録される（ＳＴ７６）。
この結果、リード／ライトトラック５にはフォーマットデータが記録される。
【００８７】
さらに、読取ヘッド１８によりワンタイム記録トラック４とリード／ライトトラック５の読取りが行われ、この読取り内容が読取回路２７を介して制御部２１に供給される（ＳＴ７７）。
【００８８】
これにより、制御部２１は、ワンタイム記録トラック４からの読取内容と記録を行った基本発行情報とが一致するかを比較し、リード／ライトトラック５からの読取内容によりフォーマットデータが正しく記録されているかにより、磁気カード１の正当性を確認する（ＳＴ７８）。
【００８９】
この結果、磁気カード１の正当性が確認された場合、制御部２１は、正しいカードの発行を操作パネル２２により案内するとともに、その磁気カード１を発行口１９より発行する（ＳＴ７９）。
【００９０】
また、ステップ８で磁気カード１の正当性が確認されなかった場合、制御部２１は、カードの発行異常を操作パネル２２により案内するとともに、その磁気カード１を発行口１９より排出する（ＳＴ８０）。
【００９１】
また、磁気カード１の使用処理については、図９に示すフローチャートの場合と同様に実施される。
また、図１４に示すように、磁気カード１において、基層２上の磁気カード１の全面にわたって高保持記録磁性体５５を塗布し、その上にワンタイム記録トラック４の部分のみに、Ｓ磁性体５６（２層構成）を塗布するようにしても良い。
【００９２】
また、図１５に示すように、磁気カード１において、基層２上のワンタイム記録トラック４の部分に、Ｓ磁性体と高保持記録磁性体とが混合された磁気層５７（２種混合）を塗布し、基層２上のリード／ライトトラック５の部分に、高保持記録磁性体５８を塗布するようにしても良い。
【００９３】
上記図１４、図１５の場合も、図５、図６に示す発行処理と、図９、図１０に示す使用処理とが同様に実施できる。
また、図１、図１１、図１４、図１５に示すように、磁気カードにおいて、ワンタイム記録トラックがＳ磁性体と高保持記録磁性体の２種混合あるいは２層構成で構成されているものにおいて、Ｓ磁性体に発行情報等の秘匿すべき情報が記録され、高保持記録磁性体に隠蔽情報を記録するようにしても良い。
【００９４】
この場合、磁気カード発行機は、図１６に示すように、図３の構成の書込ヘッド１６と１７との間に、書込ヘッド１６により書き込まれたデータの確認用の読取りを行う読取ヘッド２０が追加された構成となっている。その制御回路は、図１７に示すように、図４の構成に、制御部２１に接続され、読取ヘッド２０による読取り内容を制御部２１へ出力する読取回路２８が追加された構成となっている。
【００９５】
この場合の、磁気カード１の発行処理について、図１８に示すフローチャートを参照しつつ説明する。
すなわち、操作パネル２２によりカードの発行条件としての、発行における金額・発行機関・適用システムの範囲や発行番号を指定し、図示しないスタートキーを投入する（ＳＴ８１）。
【００９６】
すると、制御部２１は、ドライバ２４により搬送機構２３を駆動することにより、取出ローラ１３および搬送ローラ１５、…を回転する。これにより、スタッカ１２に収納されている磁気カード１が取出ローラ１３により取出され、搬送路１４により搬送される（ＳＴ８２）。
【００９７】
ついで、制御部２１は、操作パネル２２により指定されたカードの発行条件に対応する基本発行情報としての発行における金額・発行機関・適用システムの範囲を表す情報、カードのΙＤとして発行番号のエンコード情報と直流消去信号をドライバ２５を介して書込ヘッド１６に供給する（ＳＴ８３）。
【００９８】
これにより、書込ヘッド１６によりワンタイム記録トラック４のＳ磁性体４ａと高保持記録磁性体４ｂとに基本発行情報としての発行における金額・発行機関・適用システムの範囲を表す情報、カードのΙＤとして発行番号が記録され、リード／ライトトラック５に直流消去磁界が印加され、消去される（ＳＴ８４）。
【００９９】
この結果、ワンタイム記録トラック４のＳ磁性体４ａに、著しく高い保持力で基本発行情報が記録され、リード／ライトトラック５のＳ磁性体５ａが著しく高い保持力の消去状態となる。
【０１００】
ついで、読取ヘッド２０によりワンタイム記録トラック４の読取りが行われ、この読取り内容が読取回路２８を介して制御部２１に供給される（ＳＴ８５）。これにより、制御部２１は、ワンタイム記録トラック４からの読取内容と記録を行った基本発行情報とが一致するか否かを比較することにより、磁気カード１の正当性を確認する（ＳＴ８６）。
【０１０１】
この結果、磁気カード１の正当性が確認された場合、制御部２１は、隠蔽情報としてのランダムデータと初期値の情報としてのフォーマットデータのエンコード情報とをドライバ２６を介して書込ヘッド１７に供給する（ＳＴ８７）。
【０１０２】
これにより、書込ヘッド１７によりワンタイム記録トラック４にランダムデータに対応する磁界が印加され、高保持記録磁性体４ｂに記録されている基本発行情報が消去されランダムデータが記録され、リード／ライトトラック５に初期値の情報たとえばフォーマットデータが記録される（ＳＴ８８）。
【０１０３】
この結果、ワンタイム記録トラック４のＳ磁性体４ａには、著しく高い保持力で基本発行情報が記録され、高保持記録磁性体４ｂにはランダムデータが記録され、リード／ライトトラック５のＳ磁性体５ａは著しく高い保持力の消去状態にあり、高保持記録磁性体５ｂにはフォーマットデータが記録される。
【０１０４】
さらに、読取ヘッド１８によりワンタイム記録トラック４とリード／ライトトラック５の読取りが行われ、この読取り内容が読取回路２７を介して制御部２１に供給される（ＳＴ８９）。
【０１０５】
これにより、制御部２１は、ワンタイム記録トラック４からの読取内容と記録を行ったランダムデータとの不一致か否かにより隠蔽が正しく行われたか否かを確認し（ワンタイム記録トラック４の読取り不能をチェックし、書込ヘッド１７によるワンタイム記録トラック４についての隠蔽の効果を見る）、リード／ライトトラック５からの読取内容によりフォーマットデータが正しく記録されているかにより、磁気カード１の正当性を確認する（ＳＴ９０）。
【０１０６】
この結果、隠蔽の確認と磁気カード１の正当性が確認された場合、制御部２１は、正しいカードの発行を操作パネル２２により案内するとともに、その磁気カード１を発行口１９より発行する（ＳＴ１１０）。
【０１０７】
また、ステップ８６、９０で磁気カード１の正当性が確認されなかった場合、およびステップ９０で隠蔽が確認できなかった場合、制御部２１は、カードの発行異常を操作パネル２２により案内するとともに、その磁気カード１を発行口１９より排出する（ＳＴ１１０）。
【０１０８】
次に、磁気カード１の使用処理について、図１９に示すフローチャートを参照しつつ説明する。
すなわち、図示しない検知器により磁気カード１の挿入口３２からの挿入が検知された際（ＳＴ９１）、制御部４１は、ドライバ４４により搬送機構４３を駆動することにより、搬送ローラ３３、…を正方向に回転する。これにより、挿入口３２からの挿入された磁気カード１が搬送路３４により搬送され、読取ヘッド３５を通過して書込ヘッド３６へ搬送される（ＳＴ９２）。
【０１０９】
制御部４１は、直流消去信号をドライバ４６を介して書込ヘッド３６に供給する（ＳＴ９３）。
これにより、書込ヘッド３６によりワンタイム記録トラック４に直流消去磁界が印加される（ＳＴ９４）。この結果、ワンタイム記録トラック４の高保持記録磁性体４ｂに記録されているランダムデータが消去される。
【０１１０】
この後、制御部４１は、ドライバ４４により搬送機構４３を駆動することにより、搬送ローラ３３、…を逆方向に回転する。これにより、書込ヘッド３６により高保持記録磁性体４ｂのランダムデータの消去された磁気カード１が搬送路３４により挿入口３２側に搬送される（ＳＴ９５）。
【０１１１】
ついで、読取ヘッド３５により磁気カード１の読取りが行われる。すなわち、ワンタイム記録トラック４（のＳ磁性体４ａ）に記録されている基本発行情報としての発行における金額・発行機関・適用システムの範囲を表す情報、カードのΙＤとして発行番号の読取りとリード／ライトトラック５（の高保持記録磁性体５ｂ）に記録されている残額等の使用実績の読取りが行われ、この読取り内容が読取回路４５を介して制御部４１に供給される（ＳＴ９６）。
【０１１２】
制御部４１は、読取った基本発行情報の正当性を判断し（ＳＴ９７）、正当と判断した場合、今回の処理に対する料金を残額から差し引いた新たな使用実績としての残額を算出する（ＳＴ９８）。この際、今回の処理に対する料金は、たとえば、操作パネル４２により指定される。
【０１１３】
この後、制御部４１は、ドライバ４４により搬送機構４３を駆動することにより、搬送ローラ３３、…を再び正方向に回転する。これにより、読取ヘッド３５により読取りがなされた磁気カード１が搬送路３４により挿入口３２側とは反対側に搬送される（ＳＴ９９）。
【０１１４】
ついで、制御部４１は、ランダムデータと新たな使用実績としての残額のエンコード情報をドライバ４６を介して書込ヘッド３６に供給する（ＳＴ１００）。これにより、書込ヘッド３６によりワンタイム記録トラック４の高保持記録磁性体４ｂにランダムデータが記録され、リード／ライトトラック５に新たな使用実績としての残額が記録される（ＳＴ１０１）。
【０１１５】
この後、制御部４１は、ドライバ４４により搬送機構４３を駆動することにより、搬送ローラ３３、…を再び逆方向に回転する。これにより、書込ヘッド３６により書込みがなされた磁気カード１が搬送路３４により挿入口３２側に搬送される（ＳＴ１０２）。
【０１１６】
ついで、読取ヘッド３５によりワンタイム記録トラック４とリード／ライトトラック５の読取りが行われ、この読取り内容が読取回路４５を介して制御部４１に供給される（ＳＴ１０３）。
【０１１７】
これにより、制御部４１は、ワンタイム記録トラック４からの読取内容が読取れないことを確認し、リード／ライトトラック５の読取り内容が記録した新たな使用実績との一致とにより磁気カード１の正当性を判断し（ＳＴ１０４）、正常処理を操作パネル４２により案内するとともに、その磁気カード１を挿入口３２より排出する（ＳＴ１０５）。
【０１１８】
また、ステップ９７で基本発行情報が読取れなかった場合、ステップ１０４で磁気カード１の正当性が判断されなかった場合、制御部４１は、受入れた磁気カード１が異常券である旨を操作パネル２２により案内するとともに、その磁気カード１を挿入口３２より排出する（ＳＴ１０６）。
【０１１９】
上記したように、ワンタイム記録トラックがＳ磁性体と高保持記録磁性体の２種混合あるいは２層構成で構成されているものにおいて、Ｓ磁性体に秘匿すべき発行情報が記録され、高保持記録磁性体にランダムデータが記録され、処理時に、高保持記録磁性体のランダムデータを消去して、Ｓ磁性体の発行情報が読み取れるようにし、処理後、再び高保持記録磁性体にランダムデータを記録して排出されるようにしたものである。これにより、改竄、偽造防止を図ったものである。
【０１２０】
【発明の効果】
以上詳述したように、この発明によれば、磁気カードの偽造、改竄を防止することができる磁気カード処理システムと磁気カード処理方法を提供できる。
【図面の簡単な説明】
【図１】この発明の一実施例を説明するための磁気カードの概略構成を示す断面図。
【図２】磁気カードのトラック構成を説明するための斜視図。
【図３】磁気カード発行機の要部の構成を示す断面図。
【図４】磁気カード発行機の制御回路の構成を示すブロック図。
【図５】磁気カードの発行処理を説明するためのフローチャート。
【図６】磁気カードの発行処理を説明するためのフローチャート。
【図７】磁気カード処理機の要部の構成を示す断面図。
【図８】磁気カード処理機の制御回路の構成を示すブロック図。
【図９】磁気カードの使用処理を説明するためのフローチャート。
【図１０】磁気カードの使用処理を説明するためのフローチャート。
【図１１】磁気カードの概略構成を示す断面図。
【図１２】磁気カードの概略構成を示す斜視図。
【図１３】磁気カードの発行処理を説明するためのフローチャート。
【図１４】磁気カードの概略構成を示す斜視図。
【図１５】磁気カードの概略構成を示す斜視図。
【図１６】磁気カード発行機の要部の構成を示す断面図。
【図１７】磁気カード発行機の制御回路の構成を示すブロック図。
【図１８】磁気カードの発行処理を説明するためのフローチャート。
【図１９】磁気カードの使用処理を説明するためのフローチャート。
【符号の説明】
１…磁気ヘッド
２…基層
３…磁気層
４…ワンタイム記録トラック（発行情報トラック）
５…リード／ライトトラック（使用実績トラック）
４ａ、５ａ…Ｓ磁性体
４ｂ、５ｂ…高保持記録磁性体
１４搬…送路
１６、１７…書込ヘッド
１８…読取ヘッド
２１…制御部
【図１】
0003595045.tif 000002
【図２】
0003595045.tif 000003
【図３】
0003595045.tif 000004
【図４】
0003595045.tif 000005
【図５】
0003595045.tif 000006
【図６】
0003595045.tif 000007
【図７】
0003595045.tif 000008
【図８】
0003595045.tif 000009
【図９】
0003595045.tif 000010
【図１０】
0003595045.tif 000011
【図１１】
0003595045.tif 000012
【図１２】
0003595045.tif 000013
【図１３】
0003595045.tif 000014
【図１４】
0003595045.tif 000015
【図１５】
0003595045.tif 000016
【図１６】
0003595045.tif 000017
【図１７】
0003595045.tif 000018
【図１８】
0003595045.tif 000019
【図１９】
0003595045.tif 000020